(57)【要約】【課題】車載器において、路側無線装置を介してセンター装置から配信されたコンテンツ情報に関連する情報に容易にアクセスできるようにする。【解決手段】本発明に係る情報配信システム１００によれば、センター装置３０は、路側無線装置２０Ａを介して車載器１０に第１のコンテンツ情報を送信する際に、当該第１のコンテンツ情報に関連する情報の格納場所を示すＵＲＬ情報を含めて送信する。車載器１０は、路側無線装置２０Ａから受信した第１のコンテンツ情報にＵＲＬ情報が含まれている場合に、このＵＲＬ情報が示す情報格納場所へのアクセスを指示するための操作ボタンを第１のコンテンツ情報に基づき表示した画面上に表示し、操作部による当該操作ボタンの操作に応じてＵＲＬ情報が示す情報格納場所へ無線通信部を介してアクセスして、第１のコンテンツ情報に関連する第２のコンテンツ情報を取得し表示部に表示する。【選択図】図１
2009175786.tif 000002
【特許請求の範囲】
【請求項１】
道路上に設置された路側無線装置を介してコンテンツ情報を配信するセンター装置と、前記路側無線装置を介して前記センター装置から配信されたコンテンツ情報を受信する受信手段を備えた車載器と、を含む情報配信システムであって、
前記センター装置は、前記コンテンツ情報に関連する情報の格納場所を示すＵＲＬ情報を前記コンテンツ情報とともに前記車載器に配信する、情報配信システム。
【請求項２】
前記車載器は、
操作手段と、
ＵＲＬにより指定された情報格納場所に無線通信によりアクセスするための無線通信手段と、
前記受信手段により受信されたコンテンツ情報を表示する表示手段と、
前記受信手段により前記コンテンツ情報とともにＵＲＬ情報が受信され、前記操作手段により前記受信されたＵＲＬ情報が示す情報格納場所へのアクセスが指示された場合に、前記ＵＲＬ情報が示す情報格納場所に前記無線通信手段を用いてアクセスし、前記コンテンツ情報に関連する情報を取得して前記表示手段に表示させる制御手段と、
を備える請求項１に記載の情報配信システム。
【請求項３】
前記車載器の制御手段は、前記受信手段によりコンテンツ情報とともにＵＲＬ情報が受信された場合に、前記ＵＲＬ情報が示す情報格納場所へのアクセスを指示するための操作ボタンを前記表示手段に表示し、前記操作手段による前記操作ボタンの操作に応じて前記情報格納場所へのアクセスを行う請求項２に記載の情報配信システム。
【請求項４】
前記車載器は、
前記受信手段により受信されたコンテンツ情報を記憶する記憶手段を備え、
前記車載器の制御手段は、前記記憶手段に記憶されているコンテンツ情報の中から前記ＵＲＬ情報とともに受信されたコンテンツ情報を抽出して前記表示手段に一覧表示し、前記操作手段により当該一覧表示されたコンテンツ情報の中から何れかのコンテンツ情報が選択され、当該選択されたコンテンツ情報とともに受信されたＵＲＬ情報が示す情報格納場所へのアクセスが指示された場合に、前記無線通信手段を用いて前記ＵＲＬ情報が示す情報格納場所にアクセスする請求項２に記載の情報配信システム。
【請求項５】
道路上に設置された路側無線装置を介してコンテンツ情報を配信するセンター装置から配信されたコンテンツ情報を受信する受信手段を備えた車載器であって、
操作手段と、
ＵＲＬにより指定された情報格納場所に無線通信によりアクセスするための無線通信手段と、
前記受信手段により受信されたコンテンツ情報を表示する表示手段と、
前記受信手段により前記コンテンツ情報とともに当該コンテンツ情報に関連する情報の格納場所を示すＵＲＬ情報が受信され、前記操作手段により前記受信されたＵＲＬ情報が示す情報格納場所へのアクセスが指示された場合に、前記ＵＲＬ情報が示す情報格納場所に前記無線通信手段を用いてアクセスし、前記コンテンツ情報に関連する情報を取得して前記表示手段に表示させる制御手段と、
を備える車載器。
【請求項６】
前記制御手段は、前記受信手段によりコンテンツ情報とともにＵＲＬ情報が受信された場合に、前記ＵＲＬ情報が示す情報格納場所へのアクセスを指示するための操作ボタンを前記表示手段に表示し、前記操作手段による前記操作ボタンの操作に応じて前記情報格納場所へのアクセスを行う請求項５に記載の車載器。
【請求項７】
前記受信手段により受信されたコンテンツ情報を記憶する記憶手段を備え、
前記制御手段は、前記記憶手段に記憶されているコンテンツ情報の中から前記ＵＲＬ情報とともに受信されたコンテンツ情報を抽出して前記表示手段に一覧表示し、前記操作手段により当該一覧表示されたコンテンツ情報の中から何れかのコンテンツ情報が選択され、当該選択されたコンテンツ情報とともに受信されたＵＲＬ情報が示す情報格納場所へのアクセスが指示された場合に、前記無線通信手段を用いて前記ＵＲＬ情報が示す情報格納場所にアクセスする請求項５に記載の車載器。
【発明の詳細な説明】
【技術分野】
【０００１】
本発明は、情報配信システム及び車載器に関する。
【背景技術】
【０００２】
従来、ナビゲーション装置のような車載器では、ＤＳＲＣ（Dedicated Short Range Communication：狭域通信）を利用して路上や駐車場等に設置された路側無線装置と無線通信を行い、当該路側無線装置を介してセンター装置から自車の周辺にある施設（例えば、店舗や医療機関等）に関するコンテンツ情報の提供を受けることが可能となっている。車載器においては、路側無線装置から受信した情報をメモリに格納し、路側無線装置と通信できない環境においても、コンテンツ情報を再生できるようにしている（例えば、特許文献１参照）。
【０００３】
また、車載器においては、携帯電話等の広域通信網に接続できる通信手段を用いてインターネットと接続し、交通情報の受信や電子メールのやりとりを行ったり、Ｗｅｂブラウザで各種Ｗｅｂページを参照したりすることが可能なものもある。
【特許文献１】特開２００７−１０９０３２号公報
【発明の開示】
【発明が解決しようとする課題】
【０００４】
しかしながら、車載器でユーザがＷｅｂページを閲覧する場合、パソコンでの作業と同様に、ユーザが参照したい情報のＷｅｂページを検索サイトを用いて検索する、若しくは、予め接続先の一覧が記載されているＷｅｂページ（ポータルサイト）から接続先を選択する等の作業を行わなければならない。そのため、例えば、ユーザが路側無線装置から情報提供された施設についての詳細情報等を知りたい場合、該当するＷｅｂページを検索する作業を行わなければならず、煩雑であった。
【０００５】
本発明の課題は、車載器において、路側無線装置を介してセンター装置から配信されたコンテンツ情報に関連する情報に容易にアクセスできるようにすることである。
【課題を解決するための手段】
【０００６】
上記課題を解決するため、請求項１に記載の発明は、
道路上に設置された路側無線装置を介してコンテンツ情報を配信するセンター装置と、前記路側無線装置を介して前記センター装置から配信されたコンテンツ情報を受信する受信手段を備えた車載器と、を含む情報配信システムであって、
前記センター装置は、前記コンテンツ情報に関連する情報の格納場所を示すＵＲＬ情報を前記コンテンツ情報とともに前記車載器に配信する。
【０００７】
請求項２に記載の発明は、請求項１に記載の発明において、
前記車載器は、
操作手段と、
ＵＲＬにより指定された情報格納場所に無線通信によりアクセスするための無線通信手段と、
前記受信手段により受信されたコンテンツ情報を表示する表示手段と、
前記受信手段により前記コンテンツ情報とともにＵＲＬ情報が受信され、前記操作手段により前記受信されたＵＲＬ情報が示す情報格納場所へのアクセスが指示された場合に、前記ＵＲＬ情報が示す情報格納場所に前記無線通信手段を用いてアクセスし、前記コンテンツ情報に関連する情報を取得して前記表示手段に表示させる制御手段と、
を備える。
【０００８】
請求項３に記載の発明は、請求項２に記載の発明において、
前記車載器の制御手段は、前記受信手段によりコンテンツ情報とともにＵＲＬ情報が受信された場合に、前記ＵＲＬ情報が示す情報格納場所へのアクセスを指示するための操作ボタンを前記表示手段に表示し、前記操作手段による前記操作ボタンの操作に応じて前記情報格納場所へのアクセスを行う。
【０００９】
請求項４に記載の発明は、請求項２に記載の発明において、
前記車載器は、
前記受信手段により受信されたコンテンツ情報を記憶する記憶手段を備え、
前記車載器の制御手段は、前記記憶手段に記憶されているコンテンツ情報の中から前記ＵＲＬ情報とともに受信されたコンテンツ情報を抽出して前記表示手段に一覧表示し、前記操作手段により当該一覧表示されたコンテンツ情報の中から何れかのコンテンツ情報が選択され、当該選択されたコンテンツ情報とともに受信されたＵＲＬ情報が示す情報格納場所へのアクセスが指示された場合に、前記無線通信手段を用いて前記ＵＲＬ情報が示す情報格納場所にアクセスする。
【００１０】
請求項５に記載の発明は、
道路上に設置された路側無線装置を介してコンテンツ情報を配信するセンター装置から配信されたコンテンツ情報を受信する受信手段を備えた車載器であって、
操作手段と、
ＵＲＬにより指定された情報格納場所に無線通信によりアクセスするための無線通信手段と、
前記受信手段により受信されたコンテンツ情報を表示する表示手段と、
前記受信手段により前記コンテンツ情報とともに当該コンテンツ情報に関連する情報の格納場所を示すＵＲＬ情報が受信され、前記操作手段により前記受信されたＵＲＬ情報が示す情報格納場所へのアクセスが指示された場合に、前記ＵＲＬ情報が示す情報格納場所に前記無線通信手段を用いてアクセスし、前記コンテンツ情報に関連する情報を取得して前記表示手段に表示させる制御手段と、
を備える。
【００１１】
請求項６に記載の発明は、請求項５に記載の発明において、
前記制御手段は、前記受信手段によりコンテンツ情報とともにＵＲＬ情報が受信された場合に、前記ＵＲＬ情報が示す情報格納場所へのアクセスを指示するための操作ボタンを前記表示手段に表示し、前記操作手段による前記操作ボタンの操作に応じて前記情報格納場所へのアクセスを行う。
【００１２】
請求項７に記載の発明は、請求項５に記載の発明において、
前記受信手段により受信されたコンテンツ情報を記憶する記憶手段を備え、
前記制御手段は、前記記憶手段に記憶されているコンテンツ情報の中から前記ＵＲＬ情報とともに受信されたコンテンツ情報を抽出して前記表示手段に一覧表示し、前記操作手段により当該一覧表示されたコンテンツ情報の中から何れかのコンテンツ情報が選択され、当該選択されたコンテンツ情報とともに受信されたＵＲＬ情報が示す情報格納場所へのアクセスが指示された場合に、前記無線通信手段を用いて前記ＵＲＬ情報が示す情報格納場所にアクセスする。
【発明の効果】
【００１３】
本発明によれば、車載器において、路側無線装置を介してセンター装置から配信されたコンテンツ情報に関連する情報に容易にアクセスできるようになる。
【発明を実施するための最良の形態】
【００１４】
以下、添付図面を参照して本発明に係る実施の形態を詳細に説明する。ただし、発明の範囲は、図示例に限定されない。
【００１５】
まず、構成を説明する。
［情報配信システム１００］
図１に、本実施形態における情報配信システム１００を示す。
情報配信システム１００は、センター装置３０から車両Ｃに搭載された車載器１０にコンテンツ情報を配信するシステムである。
図１に示すように、センター装置３０は、ＤＳＲＣ専用のネットワークＮ１を介して路上や駐車場、道の駅等に複数設置された路側無線装置２０Ａ、２０Ｂと接続されている。各路側無線装置２０Ａ、２０Ｂは、ＤＳＲＣ通信機能を備えた車載器１０と無線通信可能に構成され、車載器１０と通信が確立すると、その旨をセンター装置３０に通知し、センター装置３０からコンテンツ情報を受信して車載器１０に送信する。路側無線装置２０Ａは、ＤＳＲＣ専用の独自プロトコルにより車載器１０及びセンター装置３０と通信（ＤＳＲＣ非ＩＰ通信という）を行う。路側無線装置２０Ｂは、インターネットプロトコル（ＩＰ）により車載器１０及びセンター装置３０と通信（ＤＳＲＣＩＰ通信という）を行う。
また、センター装置３０は、外部ネットワークＮ２に接続されている。外部ネットワークＮ２は、インターネット、及びこれに接続された移動体通信網、無線ＬＡＮ（Local Area Network）、ＷｉＭＡＸ（Worldwide Interoperability for Microwave Access）等の無線通信網を含んでおり、センター装置３０は、外部ネットワークＮ２を介して車載器１０からのコンテンツ情報の取得要求を受信すると、要求されたコンテンツ情報を車載器１０に送信する。
【００１６】
ここで、センター装置３０が路側無線装置２０Ａを介して車載器１０に提供するコンテンツ情報は、例えば、車両Ｃ周辺の店舗、駐車場、医療施設等の各種施設のサービス案内であり、以下これらのコンテンツ情報を第１のコンテンツ情報と呼ぶ。また、センター装置３０が外部ネットワークＮ２を介して、若しくは路側無線装置２０Ｂを介して車載器１０に提供するコンテンツ情報は、車載器１０でＷｅｂページを表示するためのＨＴＭＬファイルや、Ｗｅｂページを介して提供される画像情報、音楽情報等のマルチメディアコンテンツ等であり、以下これらのコンテンツ情報を第２のコンテンツ情報と呼ぶ。
【００１７】
以下、各構成装置について詳細に説明する。
［路側無線装置２０Ａ、２０Ｂ］
路側無線装置２０Ａ、２０Ｂは、図２に示すように本体装置２０１とアンテナ２０２とから構成されている。路側無線装置２０Ａ、２０Ｂは、道路脇や道路上方、駐車場、道の駅等に設置されたアンテナ２０２から、到達距離が限定されたＤＳＲＣの電波を放射して近傍に路側エリアＺを形成する。この路側エリアＺ内にある車両Ｃの車載器１０とだけ双方向狭域無線通信が可能となる。以下、路側無線装置２０Ａ、２０Ｂと車載器１０間の狭域無線通信を路車間通信という場合がある。
【００１８】
ＤＳＲＣは５．８GHz帯域の電波を使った通信方式であり、その通信範囲は例えば数メートルから数十メートルである。路側無線装置２０Ａ、２０ＢからのＤＳＲＣの送信出力は何れも同じ程度に設定されているので、複数の路側無線装置２０Ａ、２０Ｂがそれぞれ形成する路側エリアＺは設置場所に関係なく、ほぼ一定である。
【００１９】
本体装置２０１は、車載器１０とセンター装置３０間の情報のやりとりを仲介するための処理を行う。すなわち、アンテナ２０２を介して車載器１０から受信された情報をネットワークＮ１を介してセンター装置３０に転送し、センター装置３０から送信された第１又は第２のコンテンツ情報を車載器１０へ転送する。本体装置２０１は、情報処理や通信制御を行う制御部、記憶部等を備えたコンピュータ端末を適用することができる。
【００２０】
路側無線装置２０Ａの本体装置２０１の制御部は、ＤＳＲＣ専用のプロトコルにより車載器１０との通信制御を行う。路側無線装置２０Ｂの本体装置２０１の制御部は、ＤＳＲＣ専用のプロトコル及びインターネットプロトコルにより車載器１０との通信制御を行う。
【００２１】
［車載器１０］
車載器１０は、車両Ｃに搭載され、案内経路への誘導のための処理等を行うナビゲーション機能の他、ＤＳＲＣによるＥＴＣ（Electronic Toll Collection System）利用のた
めの処理を行う機能等を有している。
車載器１０は、図３に示すように、カーナビ部１、ＶＩＣＳ（Vehicle Information and Communication）モジュール２、ＤＳＲＣ部３、制御部４、無線通信部５を備えて構成されている。
【００２２】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、制御部４は、路側無線装置２０Ａ、２０Ｂとの路車間通信を行う際にはＤＳＲＣ部３の通信動作を制御する。なお、ＤＳＲＣ部３の制御にあたっては、制御部４はＤＳＲＣ部３のＤＳＲＣ制御部３ａとの協働により制御を行う。また、制御部４は、ＤＳＲＣ部３を介してセンター装置３０から受信した第１又は第２のコンテンツ情報の保存、再生制御等を行う。
【００２３】
カーナビ部１は、カーナビ制御部１ａ、現在地検出部１ｂ、地図記憶部１ｃ、操作部１ｄ、表示部１ｅ、記憶部１ｆ、音声出力部１ｇ等を備え、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から操作部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２４】
現在地検出部１ｂは、ＧＰＳ（Global Positioning System）アンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２５】
地図記憶部１ｃは、メモリやＤＶＤ等の記録媒体から構成され、案内表示に必要な地図情報、ＶＩＣＳモジュール２を介して受信されるガイド情報（道路情報、渋滞情報等）等を記憶している。
【００２６】
操作部１ｄは、操作キーや表示部１ｅと一体に構成されるタッチパネル等から構成されている。操作部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信した第１又は第２のコンテンツ情報の表示画面等である。
【００２７】
記憶部１ｆは、不揮発性メモリやＨＤＤ（Hard Disk Drive）等から構成され、制御部４やカーナビ制御部１ａにより実行される制御プログラム、プログラムの実行に必要なパラメータやデータ等を記憶している。記憶部１ｆに記憶されるプログラムは、例えば、制御部４において、後述する第１のコンテンツ情報受信処理、通信デバイス一覧表示処理、ネットワーク接続処理、蓄積コンテンツ表示処理を実行するためのプログラム、Ｗｅｂブラウザとしての機能を実行するためのプログラム等が含まれる。また、記憶部１ｆは、センター装置３０から受信した第１のコンテンツ情報を記憶するための第１のコンテンツ情報記憶領域Ｍ１を有する。
【００２８】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００２９】
ＶＩＣＳモジュール２は、光通信用、ＦＭ通信用、２．４GHz電波通信用のアンテナを
それぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００３０】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ部３ｆを備えて構成されている。
【００３１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＤＳＲＣ制御部３ａは、通信部３ｂを介して路側無線装置２０ＡとＤＳＲＣ非ＩＰ通信を行うための制御を行うとともに、通信部３ｂを介して路側無線装置２０ＢとＤＳＲＣＩＰ通信を行うための制御を行う。通信部３ｂを介してセンター装置３０から第１又は第２のコンテンツ情報を受信した場合には、ＤＳＲＣ制御部３ａは、これを制御部４に出力する。
また、例えば、ＤＳＲＣ制御部３ａは、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
【００３２】
通信部３ｂは、車両Ｃのダッシュボード上でフロントガラス近傍に固設されたアンテナを備え、このアンテナを介して路側無線装置２０Ａ、２０ＢやＥＴＣ基地局等と、ＤＳＲＣの電波の送受信を行う。
【００３３】
記憶部３ｃは、ＤＳＲＣ制御部３ａにより実行される制御プログラム等を記憶している。
【００３４】
ＥＴＣ処理部３ｅは、ＩＣカードＩ／Ｆ部３ｆに挿抜されるＩＣ付きクレジットカード又はデビットカード等に対して決済情報等の読み書きを行う。
ＩＣカードＩ／Ｆ部３ｆは、上記クレジットカード等のスロットを備え、このスロットに挿入されたクレジットカード等のＩＣとＥＴＣ処理部３ｅの間で情報のやりとりを仲介する。
【００３５】
無線通信部５は、移動体通信網（ＰＤＣ／ＣＤＭＡ／ＰＨＳ／ＧＳＭ・ＧＰＲＳ等）、無線ＬＡＮ（ＩＥＥＥ８０２．１１ａ／ｂ／ｇ／ｎ等）、ＷｉＭＡＸ（ＩＥＥＥ８０２．１６ａ／ｅ／ｈ等）等の各種の無線通信網の無線通信アクセスポイント４０と無線通信を行い、無線通信アクセスポイント４０を介して車載器１０が外部ネットワークＮ２に接続されたセンター装置３０を始めとする外部機器にアクセスしデータ送受信を行うための通信制御を行う。無線通信部５としては、例えば、無線ＬＡＮカード、ＷｉＭＡＸ用の通信カード、及びこれらを装填するためのスロットや、携帯電話機及び携帯電話機を車載器１０に接続するためのＵＳＢ（Universal Serial Bus）等の通信インターフェース等の通信デバイスが含まれる。無線通信部５は、受信した情報を制御部４に出力する。
【００３６】
［センター装置３０］
次に、センター装置３０について説明する。
なお、図１では１台のセンター装置３０のみ示したが、コンテンツ情報を配信する配信事業者は複数あり、センター装置３０は配信事業者毎に備えられるものである。
【００３７】
図４に、センター装置３０の機能的構成を示す。
図４に示すように、センター装置３０は、制御部３１、操作部３２、表示部３３、記憶部３４、通信部３５を備えて構成されている。
【００３８】
制御部３１は、ＣＰＵ、ＲＡＭ等から構成され、記憶部３４に記憶された制御プログラムとの協働により各種演算を行う他、各部の集中制御を行う。
例えば、制御部３１は、第１の通信部３５１により路側無線装置２０Ａから車載器１０と通信が確立したことが通知されると、記憶部３４の第１のコンテンツ情報記憶領域３４１から第１のコンテンツ情報を読み出して第１の通信部３５１を介して路側無線装置２０Ａに送信する。
また、制御部３１は、Ｗｅｂサーバとしての機能を有し、第１の通信部３５１により、路側無線装置２０Ｂを介して車載器１０から指定されたＵＲＬ（Uniform Resource Locator）に格納された情報の取得要求が受信されると、第２のコンテンツ情報記憶領域３４２における車載器１０により指定されたＵＲＬに対応する領域に格納された第２のコンテンツ情報を読み出し、第１の通信部３５１により路側無線装置２０Ｂを介して車載器１０に送信する等、車載器１０からの要求に応じた処理を実行する。また、制御部３１は、第２の通信部３５２により、外部ネットワークＮ２を介して車載器１０から指定されたＵＲＬに格納された情報の取得要求が受信されると、第２のコンテンツ情報記憶領域３４２における車載器１０により指定されたＵＲＬに対応する領域に格納された第２のコンテンツ情報を読み出し、第２の通信部３５２により外部ネットワークＮ２を介して車載器１０に送信する等、車載器１０からの要求に応じた処理を実行する。
なお、制御部３１は、路側無線装置２０Ａを介して車載器１０に第１のコンテンツ情報を送信する際には路側無線装置２０Ａの配置されているエリアに応じた情報を抽出して配信する。また、制御部３１は、各車載器１０のユーザが嗜好するカテゴリの情報（嗜好データ）を予め取得しておき、情報の送信先となる車載器１０の嗜好データに応じた情報を抽出して配信するようにすることが好ましい。
【００３９】
操作部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００４０】
記憶部３４は、ＨＤＤ等により構成される。記憶部３４は、制御部３１により実行されるプログラムの他、プログラムの実行に必要な各種データを記憶する。
また、記憶部３４は、第１のコンテンツ情報を記憶する第１のコンテンツ情報記憶領域３４１と、第２のコンテンツ情報を記憶する第２のコンテンツ情報記憶領域３４２とを有する。
【００４１】
通信部３５は、第１の通信部３５１と第２の通信部３５２により構成される。第１の通信部３５１は、センター装置３０がネットワークＮ１に接続された路側無線装置２０Ａ、２０Ｂとデータ送受信を行うための通信制御を行う。第２の通信部３５２は、センター装置３０が外部ネットワークＮ２に接続された車載器１０を始めとする外部機器とデータ送受信を行うための通信制御を行う。
【００４２】
［第１のコンテンツ情報のデータ構成］
次に、第１のコンテンツ情報について説明する。
図５に、第１のコンテンツ情報のデータフォーマットの一例を示す。図６に、第１のコンテンツ情報に基づき表示される表示画面例を示す。
図６に示す各画面Ｄ１〜Ｄ６は、それぞれ１つの第１のコンテンツ情報に基づいて表示される画面である。１つの第１のコンテンツ情報は、図５に示すように、ＩＤ００〜ＩＤ２５５により分類される情報が格納可能なファイルにより構成され、提供するコンテンツの内容に応じて必要な情報が格納されている。
【００４３】
ここで、ＩＤ００〜ＩＤ２５６に分類される情報のうち、本実施の形態に必要な主要な情報について説明する。
ＩＤ００に分類される「構成ＩＤ情報」は、当該第１のコンテンツ情報を構成するＩＤの情報である。即ち、構成ＩＤ情報は、当該コンテンツ情報の何れのＩＤに情報が格納されているかを示す情報である。
ＩＤ０１に分類される「事業者情報」は、当該コンテンツを配信するサービス事業者に関する情報であり、例えば、コンテンツを提供するサービス事業者の「事業者コード」、「事業者名表示用テキスト」等が含まれる。
ＩＤ０２に分類される「コンテンツ属性情報」は、当該コンテンツの属性を示す情報であり、例えば、コンテンツを提供する情報提供企業の「情報提供企業コード」、「情報提供企業名表示用テキスト」、コンテンツを特定するための「情報コード」、コンテンツの内容を示す「情報タイトル表示用テキスト」、コンテンツのカテゴリを示す「嗜好データカテゴリ情報」等が含まれる。なお、第１のコンテンツ情報は階層構造をなしており（例えば、図６においては、最上位からＤ１→Ｄ２→Ｄ３→Ｄ４→Ｄ５→Ｄ６）、本実施の形態においては、情報コードにより、各第１のコンテンツ情報の階層を識別可能であることとする。
ＩＤ０４に分類される「有効期限情報」は、当該コンテンツの有効期限を示す情報であり、「開始年月日時分秒」、「終了年月日時分秒」等が含まれる。
ＩＤ１０に分類される「対象地点情報」は、当該コンテンツにより案内されるサービスが提供される地点（対象地点という）に関する情報や当該コンテンツの実データを含む。「対象地点情報」は、対象地点の緯度経度を示す「対象地点座標情報」、対象地点で提供されるサービスや店舗の名称を示す「サービス名称表示用テキスト」、サービスの説明用テキスト情報である「表示用文字データ」、サービス案内を表示するための「表示用画像データ」、サービスの音声案内のための「表音文字列データ」及び「圧縮音声データ」、当該コンテンツの内容に関連する情報を提供するＷｅｂページ（第２のコンテンツ情報）の格納場所のアドレスを示す「ＵＲＬ情報」、対象地点以外の提携駐車場を示す「提携駐車場情報」、対象地点を地図画面上に表示する際の「アイコン画像情報」等が含まれる。なお、本実施の形態においては、「ＵＲＬ情報」は、センター装置３０の第２のコンテンツ情報記憶領域３４２内の格納場所を示していることとする。
【００４４】
例えば、図６の画面Ｄ６を表示するための第１のコンテンツ情報には、ＩＤ０１、０２、０４、１０の情報はすべて必要であるため、ＩＤ０１、０２、０４、１０の情報の全てが格納されている。図６の画面Ｄ１〜Ｄ５のそれぞれを表示するための第１のコンテンツ情報には、ＩＤ０２の「嗜好データカテゴリ情報」、ＩＤ１０の「対象地点座標情報」、「サービス名称表示用テキスト」、「ＵＲＬ情報」、「提携駐車場情報」、「アイコン画像情報」等は必要ではないため、これらの情報は格納されていない。
【００４５】
［車載器１０の動作］
次に、車載器１０における動作について説明する。
図７に、通信部３ｂにより路側無線装置２０Ａから第１のコンテンツ情報を受信した際に実行される第１のコンテンツ情報受信処理のフローを示す。当該処理は、制御部４と記憶部１ｆに記憶されたプログラムとの協働により実現される。
【００４６】
まず、受信された第１のコンテンツ情報が記憶部１ｆの第１のコンテンツ情報記憶領域Ｍ１に記憶される（ステップＳ１）。次いで、受信された第１のコンテンツ情報のＩＤ１０が参照され、「ＵＲＬ情報」が含まれているか否かが判断される（ステップＳ２）。受信された第１のコンテンツ情報に「ＵＲＬ情報」が含まれていると判断されると（ステップＳ２；ＹＥＳ）、受信された第１のコンテンツ情報から「ＵＲＬ情報」が抽出され、抽出されたＵＲＬ情報がＲＡＭに一時記憶されるとともに、当該ＵＲＬが示す情報格納場所へのアクセスを指示するための操作ボタンである「ネットワークに接続」ボタンＢ１が作成される（ステップＳ３）。そして、受信された第１のコンテンツ情報の「表示用文字データ」、「表示用画像データ」及びステップＳ３で作成された「ネットワークに接続」ボタンＢ１に基づいて画面が作成され、表示部１ｅに表示されるとともに（ステップＳ４）、「表音文字列データ」に基づいて音声出力部１ｇにより音声が出力され（ステップＳ５）、本処理は終了する。
【００４７】
一方、受信された第１のコンテンツ情報に「ＵＲＬ情報」が含まれていないと判断されると（ステップＳ２；ＮＯ）、当該第１のコンテンツ情報に含まれる「表示用文字データ」、「表示用画像データ」に基づいて画面が作成され、表示部１ｅに表示されるとともに（ステップＳ６）、「表音文字列データ」に基づいて音声出力部１ｇにより音声が出力され（ステップＳ７）、本処理は終了する。
【００４８】
図８に、ステップＳ４において表示部１ｅに表示される画面の一例を示す。図８に示すように、受信された第１のコンテンツ情報に「ＵＲＬ情報」が含まれていた場合、第１のコンテンツ情報に基づき表示される画面上に「ネットワークに接続」ボタンＢ１が表示される。
【００４９】
次に、「ネットワークに接続」ボタンＢ１が操作部１ｄを介して押下された際に実行される通信デバイス一覧表示処理について説明する。図９に、通信デバイス一覧表示処理のフローを示す。当該処理は、制御部４と記憶部１ｆに記憶されたプログラムとの協働により実現される。
【００５０】
まず、無線通信部５において接続されている通信デバイスの情報が収集される（ステップＳ２１）。ここで、無線通信部５において接続されている通信デバイスの情報の収集は、例えば、予め車載器１０の電源投入時に制御部４が無線通信部５に接続されている通信デバイスの検出を行って検出された通信デバイスの情報をＲＡＭに記憶しておき、ステップＳ２１においては、ＲＡＭに記憶されている情報を参照するのみにしてもよいし、ステップＳ２１において、接続されている通信デバイスの検出を行って情報収集を行うようにしてもよい。
【００５１】
次いで、収集された情報に基づいて、無線通信部５において接続されている通信デバイスが存在するか否かが判断され、存在すると判断されると（ステップＳ２２；ＹＥＳ）、接続されている通信デバイスの一覧が表示部１ｅの画面上に表示され（ステップＳ２３）、本処理は終了する。
【００５２】
一方、無線通信部５において接続されている通信デバイスが存在しないと判断されると
（ステップＳ２２；ＮＯ）、接続されている通信デバイスが存在しない旨のメッセージが表示部１ｅの画面上に表示され（ステップＳ２４）、本処理は終了する。
【００５３】
図１０に、ステップＳ２３において表示部１ｅに表示される画面の一例を示す。図１０に示すように、ステップＳ２３においては、無線通信部５において接続されている通信デバイスが存在する場合、接続されている通信デバイスの一覧が画面上に表示されるとともに、ユーザにネットワーク接続を行う際の通信デバイスの選択を促すメッセージが表示される。各通信デバイスの表示は選択ボタンとなっており、ユーザは操作部１ｄを介して所望の通信デバイスを選択することができる。
【００５４】
なお、接続されている通信デバイスが一つしか存在しない場合、ステップＳ２２以降の処理を行わず、その通信デバイスが選択されたものとして直ちに後述するネットワーク接続処理を実行するようにしてもよい。また、接続されている通信デバイスが存在しない場合、接続されている通信デバイスが存在しない旨のメッセージとともに通信デバイスの接続をユーザに促すメッセージを併せて表示し、所定時間後に再度通信デバイスの検出を行って、検出された通信デバイスの一覧表示を行うようにしてもよい。
【００５５】
次に、図９のステップＳ２３で表示された通信デバイスの一覧の中から操作部１ｄを介して何れかの通信デバイスが選択された際に実行されるネットワーク接続処理について説明する。図１１に、ネットワーク接続処理のフローを示す。当該処理は、制御部４と記憶部１ｆに記憶されたプログラムとの協働により実現される。
【００５６】
まず、選択された通信デバイスの情報が取得され（ステップＳ３１）、無線通信部５の選択された通信デバイスを用いて外部ネットワークＮ２との接続が開始され（ステップＳ３２）、表示部１ｅの画面上にネットワークへの接続処理中であることを示すメッセージ（図１２参照）が表示される（ステップＳ３３）。外部ネットワークＮ２との接続が確立すると（ステップＳ３４；ＹＥＳ）、Ｗｅｂブラウザが起動され（ステップＳ３５）、ＲＡＭに一時保存されているＵＲＬ情報がＷｅｂブラウザに設定される（ステップＳ３６）。そして、無線通信部５の選択された通信デバイスによりＷｅｂブラウザに設定されたＵＲＬにより指定された情報格納場所へのアクセスが行われ、当該格納場所に格納された第２のコンテンツ情報が取得され、この取得された第２のコンテンツ情報に基づいて、表示部１ｅの画面上に選択された第１のコンテンツ情報に関連する内容のコンテンツ（Ｗｅｂページ）が表示され（ステップＳ３７）、本処理は終了する。
【００５７】
一方、ステップＳ３４において、外部ネットワークＮ２との接続が確立しなかった場合（ステップＳ３４；ＮＯ）、表示部１ｅに外部ネットワークＮ２と接続できない旨のメッセージが表示され（ステップＳ３８）、本処理は終了する。
なお、上述の通信デバイス一覧表示処理は、「ネットワークに接続」ボタンＢ１が押下される度に毎回行わなくてもよい。例えば、一度外部ネットワークＮ２への接続処理を行った後、所定時間内に再度「ネットワークに接続」ボタンＢ１が押下された場合に、前回接続に使用された通信デバイスで接続を行うようにしてもよい。
【００５８】
図１３に、ステップＳ３７において第２のコンテンツ情報に基づき表示部１ｅに表示されるＷｅｂページ画面の一例を示す。
Ｗｅｂページでは、画像、音声、テキスト等を提供する（ダウンロードさせる）ことができ、また、他の関連するＷｅｂページにアクセスするためのＵＲＬをリンクさせることができるので、ＵＲＬ情報を配信することにより、ＤＳＲＣにより提供される情報に加えて、より多くの情報量をもつコンテンツを車載器１０に提供することができる。例えば、ＤＳＲＣにより提供される第１のコンテンツ情報により対象施設の概要情報のみを配信し、ＵＲＬが示す情報格納場所においてその施設の詳細情報や駐車場情報等の関連情報を提供することができる。また、Ｗｅｂページでは、入力フォームからの入力等により車載器１０から情報登録を行うことができるので、例えば、駐車場の予約サービス等、車載器１０との双方向の通信が必要となる各種サービスを提供することができる。
【００５９】
なお、受信された第１のコンテンツ情報は記憶部１ｆに記憶（蓄積）されるので、ユーザが適宜呼び出して表示したり、記憶した第１のコンテンツ情報に含まれるＵＲＬ情報に基づき第２のコンテンツ情報を取得したりすることができる。
【００６０】
図１４に、操作部１ｄにより記憶部１ｆに記憶された第１のコンテンツ情報を表示する指示が入力された際に実行される蓄積コンテンツ表示処理のフローを示す。当該処理は、制御部４と記憶部１ｆに記憶されたプログラムとの協働により実現される。
なお、操作部１ｄによる第１のコンテンツ情報の表示指示は、図１５（ａ）に示すメニュー画面から「Entertainment」ボタンＢ１１を選択し、次いで表示される図１５（ｂ）に示すEntertainment画面に表示された配信事業者の一覧の中から何れかの配信事業者を選択することにより行うことができる。
【００６１】
コンテンツ表示処理においては、まず、第１のコンテンツ情報記憶領域Ｍ１に記憶されている選択された配信事業者の「事業者コード」をもつ第１のコンテンツ情報の中から最上位階層を示す「情報コード」をもつコンテンツ情報が抽出され、抽出されたコンテンツ情報が表示部１ｅの画面上に表示されるとともに、ＵＲＬ情報を含む第１のコンテンツ情報の抽出を指示するための「ＵＲＬ抽出」ボタンＢ２が作成され、画面上に表示される（ステップＳ４１）。図１６（ａ）に、ステップＳ４１において表示部１ｅに表示される画面例を示す。
【００６２】
表示された画面において操作部１ｄにより操作が行われると、当該操作が「ＵＲＬ抽出」ボタンＢ２の押下であるか否かが判断され、「ＵＲＬ抽出」ボタンＢ２の押下ではないと判断されると（ステップＳ４２；ＮＯ）、操作部１ｄの操作及び記憶部１ｆに記憶されている第１のコンテンツ情報の階層構造に応じた画面表示が行われ（ステップＳ４３）、本処理は終了する。
【００６３】
一方、操作部１ｄにより「ＵＲＬ抽出」ボタンＢ２が押下されたと判断されると（ステップＳ４２；ＹＥＳ）、記憶部１ｆに記憶されている第１のコンテンツ情報の中からＩＤ１０に「ＵＲＬ情報」が含まれるコンテンツ情報が抽出され（ステップＳ４４）、抽出されたコンテンツ情報のＩＤ０２に含まれる「情報タイトル表示用テキスト」の一覧（即ち、ＵＲＬ付の第１のコンテンツ情報（ＵＲＬ付コンテンツ）の一覧）と、一覧の中から選択されたコンテンツ情報の表示を指示するための「表示」ボタンＢ３、及び、一覧の中から選択されたコンテンツ情報のＵＲＬ情報が示す情報格納場所へのアクセスを指示するための「接続」ボタンＢ４が表示部１ｅの画面上に表示される（ステップＳ４５）。図１６（ｂ）に、ステップＳ４５において表示される画面の一例を示す。なお、ＵＲＬ付コンテンツの一覧には「情報タイトル表示用テキスト」と併せて「情報提供企業名表示用テキスト」を表示するようにしてもよい。
【００６４】
ステップＳ４５で表示された画面において、操作部１ｄによりＵＲＬ付コンテンツの一覧の中から何れかの第１のコンテンツ情報が選択されると、選択された第１のコンテンツ情報の「ＵＲＬ情報」がＲＡＭに一時記憶される（ステップＳ４６）。「接続」ボタンＢ４が押下され、選択された第１のコンテンツ情報に含まれるＵＲＬ情報が示す情報格納場所へのアクセスが指示されると（ステップＳ４７；ＹＥＳ）、図９に示す通信デバイス一覧表示処理が実行され（ステップＳ５３）、次いで、図１１に示すネットワーク接続処理が実行されることにより、選択された第１のコンテンツ情報に含まれるＵＲＬ情報が示す情報格納場所から第２のコンテンツ情報が取得されて表示される（ステップＳ５４）。そして、本処理は終了する。
【００６５】
一方、ステップＳ４５で表示された画面において、操作部１ｄにより「接続」ボタンＢ４が押下されず（ステップＳ４７；ＮＯ）、「表示」ボタンＢ３が押下されると（ステップＳ４８；ＹＥＳ）、選択された第１のコンテンツ情報から「ＵＲＬ情報」が抽出され、抽出された「ＵＲＬ情報」が示す情報格納場所へのアクセスを指示するための操作ボタンである「ネットワークに接続」ボタンが作成される（ステップＳ４９）。そして、選択された第１のコンテンツ情報に含まれる「表示用文字データ」、「表示用画像データ」及びステップＳ４９で作成された「ネットワークに接続」ボタンに基づいて画面が作成され、表示部１ｅに表示される（図８参照）とともに（ステップＳ５０）、「表音文字列データ」に基づいて音声出力部１ｇにより音声が出力される（ステップＳ５１）。操作部１ｄにより「ネットワークに接続」ボタンが押下されると（ステップＳ５２；ＹＥＳ）、処理はステップＳ５３に移行する。操作部１ｄにより「ネットワークに接続」ボタンＢ１が押下されなければ（ステップＳ５２；ＮＯ）、本処理は終了する。
【００６６】
以上説明したように、情報配信システム１００によれば、センター装置３０は、路側無線装置２０Ａを介して車載器１０に第１のコンテンツ情報を送信する場合に、第１のコンテンツ情報に、当該第１のコンテンツ情報に関連する情報の格納場所を示すＵＲＬ情報を含めて送信する。従って、情報提供側は、ＤＳＲＣで配信した第１のコンテンツ情報と関連する、より情報量の多いコンテンツをインターネット上で提供することができ、第１のコンテンツ情報に関連する様々な情報やサービスの提供を行うことができる。車載器側においては、ユーザは、受信した第１のコンテンツ情報に関連する情報に容易にアクセスすることが可能となり、利便性が向上する。
【００６７】
また、車載器１０は、路側無線装置２０Ａから受信した第１のコンテンツ情報にＵＲＬ情報が含まれている場合に、このＵＲＬ情報が示す情報格納場所へのアクセスを指示するための操作ボタンを第１のコンテンツ情報に基づき表示した画面上に表示し、操作部１ｄによる当該操作ボタンの操作に応じてＵＲＬ情報が示す情報格納場所へ無線通信部５を介してアクセスして、第１のコンテンツ情報に関連する第２のコンテンツ情報を取得し表示部１ｅに表示する。従って、ユーザは、第１のコンテンツ情報に関連する情報を検索画面等で検索する作業を行うことなく、表示された操作ボタンを押下操作するだけで受信した第１のコンテンツ情報に関連する第２のコンテンツ情報に容易にアクセスすることが可能となり、操作性、利便性を向上させることができる。
【００６８】
また、車載器１０は、路側無線装置２０Ａから受信した第１のコンテンツ情報を記憶部１ｆに記憶し、操作部１ｄから入力の指示に応じて、記憶部１ｆに記憶されている第１のコンテンツ情報の中からＵＲＬ情報を含むコンテンツ情報を抽出して表示部１ｅに一覧表示し、操作部１ｄにより一覧表示されたコンテンツ情報の中から何れかのコンテンツ情報が選択され、当該選択されたコンテンツ情報とともに受信されたＵＲＬ情報が示す情報格納場所へのアクセスが指示された場合に、無線通信部５を用いてＵＲＬ情報が示す情報格納場所にアクセスする。従って、ユーザは、過去に受信された第１のコンテンツ情報に関連する情報に容易にアクセスすることが可能となる。
【００６９】
なお、上記実施の形態における記述は、本発明に係る情報配信システムの一例であり、これに限定されるものではない。
【００７０】
例えば、上記実施の形態では、センター装置３０が第１のコンテンツ情報及びこれに関連する第２のコンテンツ情報の双方を記憶し、車載器１０に配信することとして説明したが、第１のコンテンツ情報を配信する装置と第２のコンテンツ情報を配信する装置は、別々であってもよい。例えば、第２のコンテンツ情報を配信する装置は、情報提供企業のサーバ等であってもよい。
【００７１】
また、上記実施の形態においては、センター装置３０はインターネットに接続されている構成としたが、第２のコンテンツ情報を提供する装置は、インターネットの技術を利用したＩＰネットワークに接続されていればよく、例えば無線通信網と専用線を介して接続
し、セキュリティを確保するようにしてもよい。
【００７２】
また、記憶部１ｆに記憶された第１のコンテンツ情報からＵＲＬ情報を含むコンテンツを抽出し一覧表示する際には、有効期限情報や対象地点情報等の検索条件により更に絞込みを行えるようにしてもよい。
【００７３】
また、車両Ｃの停車中に、車載器１０で下記のＵＲＬ自動表示処理ＡやＵＲＬ自動表示処理Ｂを行って、車両Ｃの現在地（自車位置）に応じたＵＲＬ情報を提供するようにしてもよい。
図１７に、車両Ｃの停車中に車載器１０で実行されるＵＲＬ自動表示処理Ａのフローを示す。当該処理は、車両Ｃの停車中（例えば、図示しないＩ／Ｆを介してエンジンスイッチキーがＯＦＦに切り替えられた際）に制御部４と記憶部１ｆに記憶されたプログラムとの協働により実現される。
【００７４】
まず、現在設定されている目的地の緯度経度と現在地検出部１ｂにより検出された現在地の緯度経度に基づいて、目的地と現在地が所定距離以内であるか否かが判断される（ステップＳ６１）。目的地と現在地が所定距離以内ではないと判断されると（ステップＳ６１；ＮＯ）、本処理は終了する。
【００７５】
目的地と現在地が所定距離以内であると判断されると（ステップＳ６１；ＹＥＳ）、記憶部１ｆの第１のコンテンツ情報記憶領域Ｍ１に記憶されている第１のコンテンツ情報に目的地と緯度経度が同じ「対象地点座標情報」をもつ第１のコンテンツ情報があるか否かが判断される（ステップＳ６２）。目的地と緯度経度が同じ「対象地点座標情報」をもつ第１のコンテンツ情報がないと判断されると（ステップＳ６２；ＮＯ）、本処理は終了する。
【００７６】
目的地と緯度経度が同じ「対象地点座標情報」をもつ第１のコンテンツ情報があると判断されると（ステップＳ６２；ＹＥＳ）、該当する第１のコンテンツ情報に「ＵＲＬ情報」が含まれているか否かが判断される（ステップＳ６３）。「ＵＲＬ情報」が含まれていないと判断されると（ステップＳ６３；ＮＯ）、本処理は終了し、「ＵＲＬ情報」が含まれていると判断されると（ステップＳ６３；ＹＥＳ）、処理はステップＳ６４に移行する。
【００７７】
ステップＳ６４においては、該当する第１のコンテンツ情報から「ＵＲＬ情報」が抽出され、抽出されたＵＲＬ情報がＲＡＭに一時記憶されるとともに、当該ＵＲＬが示す情報格納場所へのアクセスを指示するための操作ボタンである「ネットワークに接続」ボタンＢ１が作成される（ステップＳ６４）。そして、該当する第１のコンテンツ情報の「表示用文字データ」、「表示用画像データ」及びステップＳ６４で作成された「ネットワークに接続」ボタンＢ１に基づいて画面が作成され、表示部１ｅに表示される（図８参照）（ステップＳ６５）。
【００７８】
操作部１ｄにより「ネットワークに接続」ボタンＢ１が押下され、表示された第１のコンテンツ情報に含まれるＵＲＬ情報が示す情報格納場所へのアクセスが指示されると（ステップＳ６６；ＹＥＳ）、図９に示す通信デバイス一覧表示処理が実行され（ステップＳ６７）、次いで、図１１に示すネットワーク接続処理が実行されることにより、目的地についての第１のコンテンツ情報に含まれるＵＲＬ情報が示す情報格納場所から目的地に関連する第２のコンテンツ情報が取得されて画面表示される（ステップＳ６８）。そして、本処理は終了する。一方、操作部１ｄにより「ネットワークに接続」ボタンＢ１が押下されず（ステップＳ６６；ＮＯ）、画面を閉じる指示が入力されると（ステップＳ６９；ＹＥＳ）、本処理は終了する。
【００７９】
上記ＵＲＬ自動表示処理Ａを実行することにより、例えば、ＵＲＬ情報が第１のコンテンツ情報により案内される対象地点の提携駐車場の予約サービスを提供するＷｅｂページのものであれば、ユーザは、目的地からの距離が所定の範囲内となったときに駐車場の予約をすることができ、更に利便性を向上させることができる。
【００８０】
図１８に、車両Ｃの停車中に車載器１０で実行されるＵＲＬ自動表示処理Ｂのフローを示す。当該処理は、車両Ｃの停車中（例えば、図示しないＩ／Ｆを介してエンジンスイッチキーがＯＦＦに切り替えられた際）に制御部４と記憶部１ｆに記憶されたプログラムとの協働により実現される。
【００８１】
まず、記憶部１ｆの第１のコンテンツ情報記憶領域Ｍ１に記憶されている第１のコンテンツ情報の中から、ＩＤ１０に現在地検出部１ｂにより検出された現在地の緯度経度から所定距離内の「対象地点座標情報」をもち、かつ、「ＵＲＬ情報」が含まれる第１のコンテンツ情報の抽出が行われ（ステップＳ７１）、抽出されたコンテンツ情報のＩＤ０２に含まれる「情報タイトル表示用テキスト」の一覧（即ち、ＵＲＬ付の第１のコンテンツ情報（ＵＲＬ付コンテンツ）の一覧）と、一覧の中から選択されたコンテンツ情報の表示を指示するための「表示」ボタンＢ３、及び、一覧の中から選択されたコンテンツ情報のＵＲＬ情報が示す情報格納場所へのアクセスを指示するための「接続」ボタンＢ４が表示部１ｅの画面上に表示される（ステップＳ７２）。図１６（ｂ）に、ステップＳ７１において表示される画面の一例を示す。なお、ステップＳ７１で該当する第１のコンテンツ情報が抽出されなければ、本処理は終了する。
【００８２】
ステップＳ７１で表示された画面において、操作部１ｄによりＵＲＬ付コンテンツの一覧の中から何れかの第１のコンテンツ情報が選択されると、選択された第１のコンテンツ情報の「ＵＲＬ情報」がＲＡＭに一時記憶される（ステップＳ７３）。操作部１ｄにより「接続」ボタンＢ４が押下され、選択された第１のコンテンツ情報に含まれるＵＲＬ情報が示す情報格納場所へのアクセスが指示されると（ステップＳ７４；ＹＥＳ）、図９に示す通信デバイス一覧表示処理が実行され（ステップＳ７９）、次いで、図１１に示すネットワーク接続処理が実行されることにより、選択された第１のコンテンツ情報に含まれるＵＲＬ情報が示す情報格納場所から第２のコンテンツ情報が取得されて表示される（ステップＳ８０）。そして、本処理は終了する。
【００８３】
一方、ステップＳ７３で表示された画面において、操作部１ｄにより「接続」ボタンＢ４が押下されず（ステップＳ７４；ＮＯ）、「表示」ボタンＢ３が押下されると（ステップＳ７５；ＹＥＳ）、選択された第１のコンテンツ情報から「ＵＲＬ情報」が抽出され、抽出された「ＵＲＬ情報」が示す情報格納場所へのアクセスを指示するための操作ボタンである「ネットワークに接続」ボタンが作成される（ステップＳ７６）。そして、選択された第１のコンテンツ情報に含まれる「表示用文字データ」、「表示用画像データ」及びステップＳ７６で作成された「ネットワークに接続」ボタンＢ１に基づいて画面が作成され、表示部１ｅに表示される（図８参照）（ステップＳ７７）。操作部１ｄにより「ネットワークに接続」ボタンＢ１が押下されると（ステップＳ７８；ＹＥＳ）、処理はステップＳ７９に移行する。操作部１ｄにより「ネットワークに接続」ボタンＢ１が押下されなければ（ステップＳ７８；ＮＯ）、本処理は終了する。
【００８４】
上記ＵＲＬ自動表示処理Ｂを実行することにより、ユーザは自車位置周辺にある施設に関連する情報に容易にアクセスすることが可能となり、更に利便性を向上させることができる。  
【００８５】
その他、上記実施の形態における情報配信システム１００及びこれを構成する各装置の細部構成及び詳細動作に関しても、本発明の趣旨を逸脱しない範囲で適宜変更可能である。
【図面の簡単な説明】
【００８６】
【図１】本発明に係る実施の形態の情報配信システムの構成例を示す図である。
【図２】図１の路側無線装置及び路側エリアを説明するための図である。
【図３】図１の車載器の機能的構成を示すブロック図である。
【図４】図１のセンター装置の機能的構成を示すブロック図である。
【図５】図１のセンター装置から配信される第１のコンテンツ情報のデータフォーマットの一例を示す図である。
【図６】第１のコンテンツ情報に基づき表示される画面例を示す図である。
【図７】図３の制御部により実行される第１のコンテンツ情報受信処理を示すフローチャートである。
【図８】図７のステップＳ４において図３の表示部に表示される画面例を示す図である。
【図９】図３の制御部により実行される通信デバイス一覧表示処理を示すフローチャートである。
【図１０】図９のステップＳ２３において図３の表示部に表示される画面例を示す図である。
【図１１】図３の制御部により実行されるネットワーク接続処理を示すフローチャートである。
【図１２】図１１のステップＳ３３において図３の表示部に表示される画面例を示す図である。
【図１３】図１１のステップＳ３７において図３の表示部に表示される画面例を示す図である。
【図１４】図３の制御部により実行される蓄積コンテンツ表示処理を示すフローチャートである。
【図１５】第１のコンテンツ情報の表示指示を行う際の操作手順を説明するための図である。
【図１６】（ａ）は、図１４のステップＳ４１において図３の表示部に表示される画面例を示す図、（ｂ）は、図１４のステップＳ４５において図３の表示部に表示される画面例を示す図である。
【図１７】図３の制御部により実行されるＵＲＬ自動表示処理Ａを示すフローチャートである。
【図１８】図３の制御部により実行されるＵＲＬ自動表示処理Ｂを示すフローチャートである。
【符号の説明】
【００８７】
１００  情報配信システム
１０  車載器
１  カーナビ部
１ａ  カーナビ制御部
１ｂ  現在地検出部
１ｃ  地図記憶部
１ｄ  操作部
１ｅ  表示部
１ｆ  記憶部
Ｍ１  第１のコンテンツ情報記憶領域
１ｇ  音声出力部
２  ＶＩＣＳモジュール
３  ＤＳＲＣ部
３ａ  ＤＳＲＣ制御部
３ｂ  通信部
３ｃ  記憶部
３ｅ  ＥＴＣ処理部
３ｆ  ＩＣカードＩ／Ｆ部
４  制御部
５  無線通信部
２０Ａ  路側無線装置
２０Ｂ  路側無線装置（ＩＰ接続対応）
２０１  本体装置
２０２  アンテナ
３０  センター装置
３１  制御部
３２  操作部
３３  表示部
３４  記憶部
３４１  第１のコンテンツ情報記憶領域
３４２  第２のコンテンツ情報記憶領域
３５  通信部
３５１  第１の通信部
３５２  第２の通信部
【図１】
2009175786.tif 000003
【図２】
2009175786.tif 000004
【図３】
2009175786.tif 000005
【図４】
2009175786.tif 000006
【図５】
2009175786.tif 000007
【図６】
2009175786.tif 000008
【図７】
2009175786.tif 000009
【図８】
2009175786.tif 000010
【図９】
2009175786.tif 000011
【図１０】
2009175786.tif 000012
【図１１】
2009175786.tif 000013
【図１２】
2009175786.tif 000014
【図１３】
2009175786.tif 000015
【図１４】
2009175786.tif 000016
【図１５】
2009175786.tif 000017
【図１６】
2009175786.tif 000018
【図１７】
2009175786.tif 000019
【図１８】
2009175786.tif 000020